(57)【要約】【課題】  構造が簡単であり、かつ巻き付け始めのペーパーウェブを巻き付けながら乾燥させるようにしたペーパーウェブ巻き取り機構を提供する。【解決手段】  多数の凹条通風溝が外周面に設けられ、ペーパーウェブが前記外周面に捲回される中実巻取りシャフトと、前記中実巻取りシャフトを回転させるための駆動手段と、前記凹条通風溝に空気を送り込むための空気送り込み手段と、を含み、前記凹条通風溝に空気を送り込むことで、前記外周面に捲回されたペーパーウェブが乾燥されるようにした。【選択図】  図１
2010105758.tif 000002
【特許請求の範囲】
【請求項１】
古紙を離解して再生パルプ懸濁液とするパルパーと前記再生パルプ懸濁液から再生紙を抄造する抄紙機を含む文書細断屑用古紙再生装置において用いられるペーパーウェブ巻き取り機構であって、
多数の凹条通風溝が外周面に設けられ、ペーパーウェブが前記外周面に捲回される中実巻取りシャフトと、
前記中実巻取りシャフトを回転させるための駆動手段と、
前記凹条通風溝に空気を送り込むための空気送り込み手段と、
を含み、
前記凹条通風溝に空気を送り込むことで、前記外周面に捲回されたペーパーウェブが乾燥されるようにしたことを特徴とするペーパーウェブ巻き取り機構。
【請求項２】
前記空気送り込み手段が、
前記凹条通風溝に設けられた空気取り込み部と、
前記凹条通風溝に設けられた空気排出部と、
前記空気取り込み部を囲繞するように設けられたダクトと、
前記ダクトへ空気を送り込むためのファンと、
を含み、
前記ファンによって前記ダクト内へ送り込まれた空気が、前記空気取り込み部から前記空気排出部へと流れるようにしたことを特徴とする請求項１記載のペーパーウェブ巻き取り機構。
【請求項３】
前記ファンはペーパーウェブが前記外周面に少なくとも１周以上捲回された後通電し、ペーパーウェブの巻き付け完了時には停止させるようにしたことを特徴とする請求項２記載のペーパーウェブ巻き取り機構。
【請求項４】
巻き取り開始前に前記中実巻取りシャフトの外周面に液体を吹きつけるための液体吹きつけ手段をさらに有することを特徴とする請求項１〜３いずれか１記載のペーパーウェブ巻き取り機構。
【発明の詳細な説明】
【技術分野】
【０００１】
本発明は、オフィス文書などの古紙を離解して再生パルプ懸濁液とするパルパーと該再生パルプ懸濁液から再生紙を抄造する抄紙機を含むオフィス設置型の文書細断屑用古紙再生装置において用いられる古紙再生装置用のペーパーウェブ巻き取り機構に関するものである。
【背景技術】
【０００２】
従来、文書細断屑のリサイクルが充分に図られていないことに鑑み、文書細断屑をトイレットペーパー程度の比較的低い品質の再生紙にリサイクルするのであれば、古紙再生工程の省略化及び装置の小型化・簡略化によって、文書細断屑の再生を企業、官庁、組合、団地或いは地方公共団体等の各組織単位で文書細断屑のリサイクルを可能とし、省資源・省エネルギー化、古紙回収にかかる時間短縮や労力軽減を図るべく、文書細断機によって細断された古紙を攪拌手段を備えたパルパーで離解し再生パルプとする工程と、該再生パルプを常時緩やかに攪拌されているチェストに貯蔵する工程と、該貯蔵された再生パルプを圧力源及び噴射孔を有する噴射装置に充填し、該噴射装置から再生パルプを噴射し、一対のローラを介して回動可能に取りつけられた無端の繊維シートを有する抄紙装置の該繊維シートに吹きかけて再生パルプをシート状にし、該シート状にされた再生パルプを乾燥ローラで乾燥して抄紙する工程とからなる文書細断屑の古紙再生方法が提案されている（特許文献１参照）。
【０００３】
また、本発明者らは、上記提案の実用化する上での種々の問題点を解決すべく、特許文献２に示すような文書細断屑用古紙再生装置を提案した。
【０００４】
さらに、ペーパーウェブを巻き取ってペーパーロールとするにあたって、種々の問題点を解決すべく、特許文献３に示すようなペーパーロールの巻取装置を提案した。
【０００５】
しかし、特許文献３のペーパーロールの巻取装置では、液体噴出手段によって湿らされた巻き付け始めのペーパーウェブを乾燥させるためには、巻き取り後に乾燥処理が別途必要であった。
【特許文献１】特開平１０−３１７２９０号公報
【特許文献２】特開２００６−１６９７１０号公報
【特許文献３】特開２００６−２４０７５１号公報
【発明の開示】
【発明が解決しようとする課題】
【０００６】
本発明は、上記従来技術に鑑みてなされたもので、構造が簡単であり、かつ巻き付け始めのペーパーウェブを巻き付けながら乾燥させるようにしたペーパーウェブ巻き取り機構を提供することを目的とする。
【課題を解決するための手段】
【０００７】
本発明のペーパーウェブ巻き取り機構は、古紙を離解して再生パルプ懸濁液とするパルパーと前記再生パルプ懸濁液から再生紙を抄造する抄紙機を含む文書細断屑用古紙再生装置において用いられるペーパーウェブ巻き取り機構であって、多数の凹条通風溝が外周面に設けられ、ペーパーウェブが前記外周面に捲回される中実巻取りシャフトと、前記中実巻取りシャフトを回転させるための駆動手段と、前記凹条通風溝に空気を送り込むための空気送り込み手段と、を含み、前記凹条通風溝に空気を送り込むことで、前記外周面に捲回されたペーパーウェブが乾燥されるようにしたことを特徴とする。
【０００８】
このように構成することで、ペーパーロールの芯部分の液体分を巻き取り動作中に乾燥できるという効果がある。故に、このように構成することで、中実巻取りシャフトにヒータなどを取り付けた乾燥方式に比べて、機構が簡単であり、またエネルギー消費が少ないため、省エネルギーにつながるという効果もある。
【０００９】
駆動手段としては、例えば巻き取りモータが使用できる。前記中実巻取りシャフトを回転させることができればよいものであるから、特別の限定はない。
【００１０】
本発明のペーパーウェブ巻き取り機構を用いて巻き取られたペーパーロールは、巻き取り動作を行いながら乾燥処理を行うため、芯までしっかりと乾燥している。なお、本願明細書では、巻き取りが終わっていないものをペーパーウェブと称し、巻き取りが終わったものをペーパーロールと称する。
【００１１】
また、前記空気送り込み手段が、前記凹条通風溝に設けられた空気取り込み部と、前記凹条通風溝に設けられた空気排出部と、前記空気取り込み部を囲繞するように設けられたダクトと、前記ダクトへ空気を送り込むためのファンと、を含み、前記ファンによって前記ダクト内へ送り込まれた空気が、前記空気取り込み部から前記空気排出部へと流れるように構成するのが好ましい。
【００１２】
このように構成することで、簡単な構造で前記凹条通風溝に均一に通風でき、漏れによる通風ロスを最小に抑えることができるという効果がある。
【００１３】
また、前記ファンはペーパーウェブが前記外周面に少なくとも１周以上捲回された後通電し、ペーパーウェブの巻き付け完了時には停止させるのが好ましい。このようにしないと、ペーパーウェブが前記ファンからの風になびいてしまい、うまく巻き付けが行われないからである。
【００１４】
さらに、巻き取り開始前に前記中実巻取りシャフトの外周面に液体を吹きつけるための液体吹きつけ手段をさらに有するように構成するのが好適である。液体としては例えば水でよい。
【００１５】
このように、巻き取り開始前に前記中実巻取りシャフトの外周面に液体を吹きつけることで、ペーパーウェブの巻き取り最初の部分が中実巻取りシャフトに確実に貼り付き、また芯の強度が確保されるという効果がある。液体吹きつけ手段としては、例えば特許文献３に記載された液体噴出手段を使用することができる。しかし、ペーパーウェブの巻き取り最初の部分を濡らしてしまうと、ペーパーロールの芯まで乾燥させるためには、別途乾燥処理などが必要となる。そこで、本発明では、巻き取り動作を行いながら乾燥処理を行うため、芯までしっかりと乾燥するという効果がある。
【００１６】
本発明のペーパーウェブ巻き取り機構は、例えば特許文献２に記載された文書細断屑用古紙再生装置に組み入れることが可能である。
【発明の効果】
【００１７】
本発明のペーパーウェブ巻き取り機構によれば、構造が簡単であり、かつ巻き付け始めのペーパーウェブを巻き付けながら乾燥させるようにしたペーパーウェブ巻き取り機構を提供することができるという著大な効果を奏する。
【００１８】
したがって、本発明の文書細断屑用古紙再生装置のペーパーウェブ巻き取り機構を組み込んだ本発明の文書細断屑用古紙再生装置を用いれば、文書細断屑の再生を企業、官庁、組合、団地或いは地方公共団体等の各組織単位で行うことができ、焼却・埋め立て処分とされていた文書細断屑のリサイクルが可能となり、省資源・省エネルギー化、古紙回収にかかる時間短縮や労力軽減を図ることができるという大きな効果を奏する。
【発明を実施するための最良の形態】
【００１９】
以下に本発明の実施の形態を添付図面に基づいて説明するが、図示例は例示的に示されたもので、本発明の技術的思想から逸脱しない限り種々の変形が可能なことは言うまでもない。
【００２０】
図１は本発明のペーパーウェブ巻き取り機構の概略斜視図、図２は本発明のペーパーウェブ巻き取り機構の概略平面図、図３は図２のIII-III線断面図、図４は本発明のペーパーウェブ巻き取り機構の要部拡大図、図５は本発明のペーパーウェブ巻き取り機構で巻き取りの終わったペーパーロールの状態を示す概略側面図、図６は巻き取りの終わったペーパーロールを外したところを示す要部拡大図、図７は中実巻取りシャフトの概略斜視図である。
【００２１】
図１〜図４，図６において、符号１０は本発明に係る文書細断屑用古紙再生装置のペーパーウェブ巻き取り機構を示す。本発明の文書細断屑用古紙再生装置のペーパーウェブ巻き取り機構１０は、古紙を離解して再生パルプ懸濁液とするパルパーと前記再生パルプ懸濁液から再生紙を抄造する抄紙機を含む文書細断屑用古紙再生装置において用いられるペーパーウェブ巻き取り機構であって、多数の凹条通風溝１２が外周面１４に設けられ、ペーパーウェブ１６が前記外周面１４に捲回される中実巻取りシャフト１８と、前記中実巻取りシャフト１８を回転させるための駆動手段２０と、前記凹条通風溝１２に空気を送り込むための空気送り込み手段２２と、を含み、前記凹条通風溝１２に空気を送り込むことで、前記外周面１４に捲回されたペーパーウェブ１６が乾燥されるように構成されている。
【００２２】
前記中実巻取りシャフト１８は、軸受け部材２４によって回転自在に軸支されており、前記軸受け部材２４は、基台２６に取り付けられている。基台２６は開口部２８を有しており、この開口部２８において中実巻取りシャフト１８が回転しペーパーウェブ１６が中実巻取りシャフト１８に巻き取られる。
【００２３】
駆動手段２０としては図示例では巻き取りモータを使用した。駆動手段２０である巻き取りモータによって、中実巻取りシャフト１８が回転せしめられる。
【００２４】
巻き取り開始直前には、液体吹きつけ手段３０（図示例では液体は水である）によって、水が中実巻取りシャフト１８に吹きつけられる。このように、巻き取り開始前に前記中実巻取りシャフト１８の外周面に液体（水）を吹きつけることで、ペーパーウェブ１６の巻き取り最初の部分が中実巻取りシャフト１８に確実に貼り付き、また芯の強度が確保されるという効果がある。また、液体吹きつけ手段３０としては、特許文献３に記載された液体噴出手段を使用した。ペーパーウェブ１６の巻き取り最初の部分を濡らしてしまうと、ペーパーロール３２の芯まで乾燥させるためには、別途乾燥処理などが必要となるが、本発明では、巻き取り動作を行いながら乾燥処理を行うため、芯までしっかりと乾燥するという効果がある。
【００２５】
空気送り込み手段２２は、図３〜図７によく示される如く、前記凹条通風溝１２の基端部近傍に設けられた多数の空気取り込み部３４と、前記凹条通風溝１２の先端部に設けられた多数の空気排出部３６と、前記空気取り込み部３４を囲繞するように設けられたダクト３８と、前記ダクト３８へ空気を送り込むためのファン４０と、を含んでいる。そして、空気Ａがファン４０によってダクト３８内へ送り込まれ、前記ダクト３８内へ送り込まれた空気Ａが、前記空気取り込み部３４から前記空気排出部３６へと流れるように構成されている。
【００２６】
このように構成することで、簡単な構造で前記凹条通風溝に均一に通風でき、漏れによる通風ロスを最小に抑えることができ、かつ巻き取り動作を行いながら乾燥処理を行うため、芯までしっかりと乾燥しているペーパーロール３２ができあがるのである。
【００２７】
そして、前記ファン４０はペーパーウェブ１６が前記外周面１４に少なくとも１周以上捲回された後通電されて作動する。このようにしないと、ペーパーウェブが前記ファンからの風になびいてしまい、うまく巻き付けが行われないからである。
【００２８】
さらに、基台２６にはイジェクト板４２を摺動自在に支持するスライド機構４４が設けられている。ペーパーウェブ１６の巻き取りが終わりペーパーロール３２とされると、ファン４０は運転を停止し、イジェクト板４２が摺動して、ペーパーロール３２の側面を押圧し、ペーパーロール３２が中実巻取りシャフト１８から外される（図６）。
【００２９】
このようにして、巻き取り動作を行いながら乾燥処理を行うため、芯までしっかりと乾燥した本発明のペーパーロール３２が出来上がるのである。したがって、本発明の文書細断屑用古紙再生装置のペーパーウェブ巻き取り機構１０を特許文献２に記載された文書細断屑用古紙再生装置における抄紙機のリールパート部で用いるようにすれば、文書細断屑の再生を企業、官庁、組合、団地或いは地方公共団体等の各組織単位で行うことができ、焼却・埋め立て処分とされていた文書細断屑のリサイクルが可能となり、省資源・省エネルギー化、古紙回収にかかる時間短縮や労力軽減を図ることができる。
【図面の簡単な説明】
【００３０】
【図１】本発明のペーパーウェブ巻き取り機構の概略斜視図である。
【図２】本発明のペーパーウェブ巻き取り機構の概略平面図である。
【図３】図２のIII-III線断面図である。
【図４】本発明のペーパーウェブ巻き取り機構の要部拡大図である。
【図５】本発明のペーパーウェブ巻き取り機構で巻き取りの終わったペーパーロールの状態を示す概略側面図である。
【図６】巻き取りの終わったペーパーロールを外したところを示す要部拡大図である。
【図７】中実巻取りシャフトの概略斜視図である。
【符号の説明】
【００３１】
１０：本発明のペーパーウェブ巻き取り機構、１２：凹条通風溝、１４：外周面、１６：ペーパーウェブ、１８：中実巻取りシャフト、２０：駆動手段、２２：空気送り込み手段、２４：軸受け部材、２６：基台、２８：開口部、３０：液体吹きつけ手段、３２：ペーパーロール、３４：空気取り込み部、３６：空気排出部、３８：ダクト、４０：ファン、４２：イジェクト板、４４：スライド機構、Ａ：空気。
【図１】
2010105758.tif 000003
【図２】
2010105758.tif 000004
【図３】
2010105758.tif 000005
【図４】
2010105758.tif 000006
【図５】
2010105758.tif 000007
【図６】
2010105758.tif 000008
【図７】
2010105758.tif 000009